(57)【要約】【課題】  電源準備に関する利用者の利便性を高める携帯型管理装置を提供する。【解決手段】  タグ制御部４２を作動させる作動モード（アクティブ状態ＳＴ３０）と、スライドスイッチ４０−２またはプッシュスイッチ４０−３からの信号入力を監視する省電力モード（非アクティブ状態ＳＴ２０）と、バッテリ４６からの電力供給を断つ停止モード（電源オフ状態ＳＴ１０）とを切り替える制御部４１と、を備え、制御部４１は、スライドスイッチ４０−３の投入後の初期処理として、バッテリ４６の残量が所定値未満であるか否かを判定する残容量判定処理（ステップＳ２）を行い、前記所定値未満である場合に、前記停止モードへ移行する。【選択図】図２Ａ
2018117441.tif 000002
【特許請求の範囲】
【請求項１】
電池から供給される電力を用いて、通信回路を作動させて無線通信を行う携帯型管理装置であって、
前記電池からの電力供給のオン／オフを切り替えるための電源スイッチと、
前記通信回路による通信の許可／禁止を切り替えるための操作スイッチと、
前記電源スイッチがオンの状態でかつ前記操作スイッチが許可の状態へ移行したことに基づいて、前記電力を用いて前記通信回路を作動させる作動モードと、前記電源スイッチまたは前記操作スイッチからの信号入力を監視する待機モードと、前記電池からの電力供給を断つ停止モードとを切り替える制御部と、
を備え、
前記制御部は、前記電源スイッチの投入後の初期処理として、前記電池の残量が所定値未満であるか否かを判定する残容量判定処理を行い、前記所定値未満である場合に、前記停止モードへ移行する
ことを特徴とする携帯型管理装置。
【請求項２】
この制御部からの制御信号に基づいて出力を行う出力部と、
前記制御部は、前記残容量判定処理によって、前記所定値未満であると判定した場合に、前記出力部を作動させてから、前記停止モードへ移行する
ことを特徴とする請求項１に記載の携帯型管理装置。
【請求項３】
前記電池と、前記制御部及び前記通信回路を実装する回路基板と、を収容する筐体を備え、
前記筐体の表面には、前記電源スイッチと前記操作スイッチとが押圧操作可能に設けられる
ことを特徴とする請求項１に記載の携帯型管理装置。
【請求項４】
前記出力部は、前記筐体の表面に設けられる発光部からなる
ことを特徴とする請求項３に記載の携帯型管理装置。
【請求項５】
前記出力部は、前記筐体内に設けられる鳴動手段からなる
ことを特徴とする請求項３に記載の携帯型管理装置。
【請求項６】
前記制御部は、前記待機モード中、前記電源スイッチ及び前記操作スイッチによる操作が所定時間無い場合に、前記停止モードに切り替える
ことを特徴とする請求項１に記載の携帯型管理装置。
【請求項７】
前記制御部は、前記作動モード時、前記操作スイッチによる許可状態が一定時間継続した場合に、前記停止モードに切り替える
ことを特徴とする請求項１に記載の携帯型管理装置。
【発明の詳細な説明】
【技術分野】
【０００１】
本発明は、携帯型管理装置に関し、特に電池を駆動電力とする携帯型管理装置に好適である。
【背景技術】
【０００２】
従来、施設や機器の管理システムは、検出装置と、携帯端末と、ネットワーク構築装置と、データ記憶装置とを備え、利用者による携帯端末の操作によって、各種データ管理を行うものがあり、例えば、特許文献１に開示される。
【先行技術文献】
【特許文献】
【０００３】
【特許文献１】特開２０１６−１３９２２７号公報
【発明の概要】
【発明が解決しようとする課題】
【０００４】
これら管理システムの携帯端末（携帯型管理装置）として、例えば、充電または交換可能な電池を内蔵し、この電池から駆動電力を得るものが一般的であるが、この充電や交換作業が煩雑で時間を要するため、特に作業中に電池残量が無くなってしまうと、作業が待ち状態になってしまうなど手間であった。
【０００５】
そこで本発明の目的とするところは、上述課題に着目し、電源準備に関する利用者の利便性を高める携帯型管理装置を提供することにある。
【課題を解決するための手段】
【０００６】
上記目的を達成するため、本発明に係る携帯型管理装置は、
電池から供給される電力を用いて、通信回路を作動させて無線通信を行う携帯型管理装置であって、
前記電池からの電力供給のオン／オフを切り替えるための電源スイッチと、
前記通信回路による通信を許可／禁止を切り替えるための操作スイッチと、
前記電源スイッチがオンの状態でかつ前記操作スイッチが許可の状態へ移行したことに基づいて、前記電力を用いて前記通信回路を作動させる作動モードと、前記電源スイッチまたは前記操作スイッチからの信号入力を監視する待機モードと、前記電池からの電力供給を断つ停止モードとを切り替える制御部と、
を備え、
前記制御部は、前記電源スイッチの投入後の初期処理として、前記電池の残量が所定値未満であるか否かを判定する残容量判定処理を行い、前記所定値未満である場合に、前記停止モードへ移行する
ことを特徴とする。
【０００７】
また、この制御部からの制御信号に基づいて出力を行う出力部と、
前記制御部は、前記残容量判定処理によって、前記所定値未満であると判定した場合に、前記出力部を作動させてから、前記停止モードへ移行する
ことを特徴とする。
【０００８】
また、前記電池と、前記制御部及び前記通信回路を実装する回路基板と、を収容する筐体を備え、
前記筐体の表面には、前記電源スイッチと前記操作スイッチとが押圧操作可能に設けられる
ことを特徴とする。
【０００９】
また、前記出力部は、前記筐体の表面に設けられる発光部からなる
ことを特徴とする。
【００１０】
また、前記出力部は、前記筐体内に設けられる鳴動手段からなる
ことを特徴とする。
【００１１】
また、前記制御部は、前記待機モード中、前記電源スイッチ及び前記操作スイッチによる操作が所定時間無い場合に、前記停止モードに切り替える
ことを特徴とする。
【００１２】
また、前記制御部は、前記作動モード時、前記操作スイッチによる許可状態が一定時間継続した場合に、前記停止モードに切り替える
ことを特徴とする。
【発明の効果】
【００１３】
本発明によれば、電源準備に関する利用者の利便性を高める携帯型管理装置となる。
【図面の簡単な説明】
【００１４】
【図１】本発明のプラント機器状態収集システムの全体構成の例を示す図。
【図２Ａ】図１に示されるプラント機器状態収集システムの各構成要素の内部構造の例を示す図。
【図２Ｂ】図１に示されるネットワーク構築装置が記憶するネットワーク構築情報及び図１に示されるデータ記憶装置が記憶するプラント情報のデータ構造の例を示す図。
【図２Ｃ】図１に示される携帯端末の外観を示す図。
【図２Ｄ】図１に示されるデータ記憶カードの例を示す図。
【図２Ｅ】図２Ａに示される携帯端末のタグ制御部による、検出装置のタグ部への情報の記憶及びタグ部からの情報の取得の動作の一例を示す図。
【図２Ｆ】図１に示される携帯端末の状態遷移を示す図。
【図２Ｇ】図２Ａに示される携帯端末のタグ制御部の状態遷移を示す図。
【図２Ｈ】図２Ａに示される携帯端末の発光部及びブザーの動作の例を示す図。
【図３Ａ】携帯端末の電源投入時の処理手順を示すフロー図。
【図３Ｂ】携帯端末のタイムアウト機能に関するフロー図。
【発明を実施するための形態】
【００１５】
以下に、本発明の携帯型管理装置を、プラント機器の状態収集システムに適用した実施形態として例にあげ、添付図面を用いて説明する。
【００１６】
図１に示されるように、状態収集システム１は、検出装置１０と、ネットワーク構築装置２０と、データ記憶装置３０と、携帯端末（携帯型管理装置）４０と、データ記憶カード５０と、を備える。
【００１７】
検出装置１０は、複数個備えられ、各検出装置１０は、図示されていないプラント内に配置される複数のプラント機器のうち対応するプラント機器に取り付けられる。複数の検出装置１０は、ネットワーク構築装置２０が構築する、例えば無線ＬＡＮ（Local  Area  Network）、及びＺｉｇＢｅｅ（登録商標）等の規格を用いた無線センサネットワーク（Wireless  Sensor  Network；ＷＳＮ）に接続できる。ＷＳＮは、いわゆるメッシュ型ネットワークであることが好ましい。すなわち、複数の検出装置１０がネットワーク構築装置２０と接続し、各検出装置１０（例えば、検出装置１０−ｂ）は、それ自身が隣接する他の１又は複数の検出装置１０（例えば、検出装置１０−ａ及び検出装置１０−ｃ）とも接続することが好ましい。また、ネットワーク構築装置２０から距離が離れていること等によってＷＳＮと直接接続できない検出装置１０（例えば、検出装置１０−ａ）が存在するときは、プラント機器状態収集システム１は中継器６０を更に備えて、ＷＳＮの接続可能範囲を補間してもよい。
【００１８】
ネットワーク構築装置２０は、３Ｇ回線又はＬＴＥ（Long  Term  Evolution）回線等のモバイル通信を利用可能に構成されている。以下、「３Ｇ回線又はＬＴＥ回線等のモバイル通信」を「３Ｇ／ＬＴＥ」とも呼ぶ。ネットワーク構築装置２０は、３Ｇ／ＬＴＥを介してデータ記憶装置３０と通信可能に構成されている。
【００１９】
図１に示される例では、３個の検出装置１０−ａ，１０−ｂ，１０−ｃがネットワーク構築装置２０によって構築されるＷＳＮに接続されるように示されているが、ＷＳＮに接続される検出装置１０は、４個以上であってもよく、１又は２個であってもよい。また、実際のプラント機器状態収集システム１では、図１と同様の複数のネットワーク構築装置が備えられている。
【００２０】
図２Ａには、図１に示されるプラント機器状態収集システム１の各構成要素の内部構成の例が示される。図２Ａに示される検出装置１０は、制御部１１、検出部１２、ネットワーク接続部１３、タグ部１４及び報知部１５を有するセンサモジュールである。検出装置１０は、図示されていない電源ケーブル等で電力を供給することが困難な場所に取り付けられることが想定されるため、更にバッテリ１６を有していることが好ましい。また、検出装置１０は、例えば制御部１１、検出部１２、ネットワーク接続部１３、タグ部１４及び報知部１５の少なくとも１つに対して、電源ケーブル又はバッテリ１６からの電力の供給を制御する電源制御部１７を更に有してもよい。電源制御部１７は、例えば、リレーシーケンス又はトランジスタ等のスイッチング素子等を有する、自己保持回路を備える。
【００２１】
検出装置１０の制御部１１は、例えばマイクロコンピュータ等からなり、検出部１２、ネットワーク接続部１３、タグ部１４及び報知部１５の動作を制御する。また、制御部１１は、例えば、さらにバッテリ１６の残量を取得可能に構成されていてもよい。検出装置１０の検出部１２は、検出装置１０が取り付けられたプラント機器の状態を検出する。ここで、プラント機器とは、例えばスチームトラップ、回転機等であり、プラント機器の状態とは、例えばプラント機器の温度、振動、湿度、圧力、ｐｈ（ペーハー）等である。
【００２２】
検出装置１０のネットワーク接続部１３は、ネットワーク構築装置２０によって構築されるＷＳＮに接続可能に構成されている。検出装置１０のタグ部１４は、タグＩＣ（integrated  circuit）１４−１及びタグアンテナ１４−２を有する、例えば、ＮＦＣ（Near  Field  Communication）に用いられるＲＦ（Radio  Frequency）タグである。
【００２３】
タグ部１４は、後述する携帯端末４０のタグ制御部（通信回路）４２が、非接触で情報をタグＩＣ１４−１に例えば書き込むことによって格納させることができるように構成されている。ここで、非接触とは、検出装置１０のタグ部１４と携帯端末４０のタグ制御部４２とを例えばケーブル等で有線接続されること等によって、検出装置１０のタグ部１４と携帯端末４０のタグ制御部４２とが直接的な状態又は間接的な状態で機械的に接触しないことをいう。また、タグ部１４、具体的にはタグＩＣ１４−１に、検出装置１０を特定する検出装置特定情報である、例えばセンサＩＤが予め格納されている。
【００２４】
検出装置１０の報知部１５は、例えばＬＥＤ、ブザー等であって、制御部１１の制御によって起動又は停止する。検出装置１０のバッテリ１６は、検出装置１０が電源ＯＮ状態であるときに、少なくとも制御部１１に対して電力を供給する。検出部１２、ネットワーク接続部１３、タグ部１４及び報知部１５に対する電力の供給は、例えば、制御部１１を介して電力が供給されてもよく、制御部１１を介さずに電力が供給されてもよい。
【００２５】
図２Ａに示されるネットワーク構築装置２０は、制御部２１、３Ｇ／ＬＴＥ通信部２２、ネットワーク構築部２３及び記憶部２４を有するセンサゲートモジュールである。
【００２６】
ネットワーク構築装置２０の制御部２１は、例えばマイクロコンピュータ等からなり、３Ｇ／ＬＴＥ通信部２２、ネットワーク構築部２３及び記憶部２４の動作を制御する。ネットワーク構築装置２０が３Ｇ／ＬＴＥ通信部２２を有することによって、ネットワーク構築装置２０は３Ｇ／ＬＴＥに接続可能である。また、ネットワーク構築装置２０は、ネットワーク構築部２３を有することによって、ＷＳＮを構築可能である。ネットワーク構築装置２０が構築するＷＳＮは、特定のネットワーク構築装置２０によって構築されたＷＳＮであることを特定するネットワーク特定情報である、例えばネットワークＩＤが与えられている。
【００２７】
ネットワーク構築装置２０の記憶部２４は、例えば、図２Ｂに示されているネットワーク構築装置２０が構築するＷＳＮのネットワーク構築情報（データ００１）を格納する。ネットワーク構築情報（データ００１）は、例えば、ネットワークＩＤ、このネットワークＩＤで特定されるＷＳＮに接続されている検出装置１０のセンサＩＤ及びこれらの検出装置１０のＷＳＮへの接続状態のリストを含む。ネットワークＩＤで特定されるＷＳＮに中継器６０が接続されているときは、ネットワーク構築情報（データ００１）は、中継器ＩＤ及び中継器のＷＳＮへの接続状態を更に含んでもよい。
【００２８】
図２Ａに示されるデータ記憶装置３０は、制御部３１、３Ｇ／ＬＴＥ通信部３２及び記憶部３３を有するクラウドサーバである。
【００２９】
データ記憶装置３０の記憶部３３は、例えば、図２Ｂに示されているプラント情報（データ００２）を記憶する。プラント情報（データ００２）は、例えば、複数のネットワークＩＤ、各ネットワークＩＤで特定されるＷＳＮに接続されている検出装置１０のセンサＩＤ、検出装置１０の接続状態、検出装置１０の取付情報（センサモジュール取付情報）、検出装置１０の動作条件（センサモジュール動作条件）、プラント機器の状態及び検出装置１０が検出する検出値、作業者ＩＤ及び作業内容を含む。検出装置１０の取付情報は、例えば、プラント内の番地等の取付エリアを含む。検出装置１０の動作条件は、例えば、検出装置１０の検出部１２が検出する検出項目を含む。また、中継器６０が接続されているＷＳＮが存在するときは、中継器ＩＤ、これらのＷＳＮへの接続状態及び中継器の取付情報を更に含んでもよい。なお、プラント情報（データ００２）には、ネットワーク構築情報（データ００１）の全ての項目が含まれている。
【００３０】
図２Ａに示される携帯端末４０は、制御部４１、タグ制御部４２、記憶部４３、発光部４４及びブザー（鳴動手段）４５を有する。携帯端末４０は、プラント内で働く作業者がプラント内で携帯することが想定されるため、更にバッテリ（電池）４６を有している。また、携帯端末４０は、例えば制御部４１、タグ制御部４２、記憶部４３、発光部４４及びブザー４５の少なくとも１つに対して、バッテリ４６からの電力の供給を制御する電源制御部４７を更に有する。電源制御部４７は、例えば、リレーシーケンス又はトランジスタ等のスイッチング素子等を有する、自己保持回路を備える。この場合、電源制御部４７は、バッテリ４６の電力を定電圧化して出力するとともに、バッテリ４６からの電圧値を入力信号として制御部４１へ出力できる。また、電源制御部４７は、制御部４１の制御信号に基づいて、バッテリ４６からの入力を停止（バッテリ４６との接続を遮断）することもできるように回路構成される。携帯端末４０は、情報の取得をタグ制御部４２のみで行い、作業者が入力操作を行うためのタッチパネル式のディスプレイのような表示部及び入力部を備えない。以下、「携帯端末４０」を「ノッカー４０」とも呼ぶ。この場合、携帯端末４０は、図２Ｃに示すように、筐体４０−１内に、これら回路部品を実装するとともに、他にもタクトスイッチなどのスイッチ素子を内蔵して備え、筐体４０−１の表面に操作可能に露出するスライドスイッチ４０−２やプッシュスイッチ４０−３によって入力操作可能にしている。
【００３１】
携帯端末４０の制御部４１は、例えばマイクロコンピュータ等からなり、タグ制御部４２、記憶部４３、発光部４４、ブザー４５の動作を制御する。すなわち、制御部４１は、発光部４４、ブザー４５からなる出力部を制御する発光制御部及び発音制御部としても機能する。また、制御部４１は、例えば、さらにバッテリ４６の残量を取得可能に構成されていてもよい。
【００３２】
携帯端末４０のタグ制御部４２は、タグリーダ／ライタ４２−１及びタグ制御アンテナ４２−２を有する。タグ制御部４２は、検出装置１０のタグ部１４へ非接触で情報を書き込むことによって格納させることができる。検出装置１０は、タグ部１４へ情報が格納された場合に、ネットワークへの参加や自身の制御、情報のネットワーク構築装置２０への送信などの所定の動作を行う。
【００３３】
また、タグ制御部４２は、データ記憶カード５０から非接触で情報を読み込むことによって取得できる。タグ制御部４２による、検出装置１０のタグ部１４への情報の格納及びデータ記憶カード５０からの情報の取得は、携帯端末４０を検出装置１０あるいはデータ記憶カード５０にかざすこと、すなわち、例えば携帯端末４０を検出装置１０あるいはデータ記憶カード５０から所定の距離（例えば１０ｃｍ）まで近づけることによって自動的に実行される。タグ制御部４２による、検出装置１０のタグ部１４への情報の格納及びデータ記憶カード５０からの情報の取得の具体的な動作は、図２Ｅを参照して後述する。
【００３４】
記憶部４３は、タグ制御部４２が読み込んだ情報を格納できる。
【００３５】
携帯端末４０の発光部４４は、例えば複数のＬＥＤからなり、制御部４１の制御によってタグ制御部４２の状態やイベントに応じて所定の色で発光可能である。
【００３６】
携帯端末４０のブザー４５は、制御部４１の制御によってタグ制御部４２の状態やイベントに応じて所定の発音を出力可能である。発光部４４及びブザー４５の具体的な動作は、図２Ｆ〜図２Ｈを参照して後述する。携帯端末４０のバッテリ４６は、携帯端末４０が電源ＯＮ状態であるときに、少なくとも制御部４１に対して電力を供給する。タグ制御部４２、記憶部４３、発光部４４及びブザー４５に対する電力の供給は、例えば、制御部４１を介して電力が供給されてもよく、制御部４１を介さずに電力が供給されてもよい。
【００３７】
図２Ｃは、携帯端末４０の外観を示す図である。携帯端末４０は、筐体４０−１と、スライドスイッチ４０−２と、プッシュスイッチ４０−３と、発光部４４（出力部の一例）を構成するＩＤ用発光部４４−１、作業内容用発光部４４−２及び書込状態用発光部４４−３と、を有する。筐体４０−１は、例えば導電性樹脂と非導電性樹脂とを適宜組み合わせてなり、上述した各部を収容する。
【００３８】
スライドスイッチ４０−２は、作業者のスライド操作に応じて携帯端末４０の電源のオン・オフを切り替える電源スイッチである。プッシュスイッチ４０−３は、作業者のプッシュ操作に応じて携帯端末４０のアクティブ状態・非アクティブ状態を切り替え可能なアクティブスイッチ（操作スイッチ）である。プッシュスイッチ４０−３は、例えば、タグ制御部４２による通信許可・通信禁止を切り替えることができ、作業者の指先による押圧操作がある場合には、通信許可状態とし、押圧操作が無い場合には、元の位置に復帰して通信禁止状態とする信号を制御部４１に発する。
【００３９】
ＩＤ用発光部４４−１、作業内容用発光部４４−２及び書込状態用発光部４４−３は、携帯端末４０の表面側から見て横方向に列状に配置されたＬＥＤからなる。ＩＤ用発光部４４−１は、青色に発光可能である。作業内容用発光部４４−２は黄色及びシアン（青緑色）で切り替えて発光可能である。書込状態用発光部４４−３は緑色及び赤色で切り替えて発光可能である。各発光部４４−１〜４４−３の各発光色の機能については後で述べる。
【００４０】
データ記憶カード５０は、いわゆる非接触式のＩＣカードであり、ＩＣ５１と、アンテナ５２とを有し、所定の情報をＩＣ５１に予め格納可能であり、かつ、携帯端末４０と非接触で通信が可能である。データ記憶カード５０は、ＩＣ５１に予め格納される情報（作業者による作業に必要な情報）の種類に応じて複数種類が用いられる作業カードである。
【００４１】
図２Ｄはデータ記憶カード５０の例を示す。本実施形態においては、複数種類のデータ記憶カード５０として、ネットワークＩＤカード５０−１、作業者ＩＤカード５０−２、作業内容（設置時用）カード５０−３、及び作業内容（運用時用）カード５０−４を有する。
【００４２】
ネットワークＩＤカード５０−１は、情報としてネットワーク構築装置２０が構築するＷＳＮに接続するためのネットワーク情報が格納されている。このネットワーク情報には、ＷＳＮを特定するネットワーク特定情報であるネットワークＩＤ及びこのネットワークＩＤで特定されるＷＳＮに接続するためのネットワークパスワードが含まれる。ネットワークＩＤカード５０−１は、ＷＳＮの数だけ、すなわち、ネットワーク構築装置２０の数だけ複数用意される。
【００４３】
作業者ＩＤカード５０−２は、情報として作業者を特定する作業者特定情報である、作業者ＩＤが格納されている。作業者ＩＤカード５０−２は、作業者の数だけ複数用意される。
【００４４】
作業内容（設置時用）カード５０−３は、情報として検出装置１０に接続される検出部１２の種類を示す種類情報（以下、単に「検出部１２の種類」とも呼ぶ）を格納する。作業内容（設置時用）カード５０−３は、プラント機器状態収集システム１で準備された検出部１２の種類の数だけ複数用意され、例えば「温度センサ」、「振動センサ」、「センサなし（中継器）」、「汎用センサ」などがある。
【００４５】
作業内容（運用時用）カード５０−４は、情報として設備点検などにおける作業者の作業内容を示す作業内容情報（以下、単に「作業内容」とも呼ぶ）を格納する。作業内容（運用時用）カード５０−４は、作業内容等の種類の数だけ複数用意され、例えば設備点検等の作業内容として「異常なし」、「異常あり（注意）」、「異常あり（警告）」、「修理完了」などがある。また、作業内容として設置後の検出装置１０に対して動作を変更させる動作内容を含んでもよく、動作内容としては「停止（自動復旧不可）」、「再接続」、「初期化」などがある。作業内容は、例えば英数字と記号の組み合わせからなるＩＤとして格納される。データ記憶装置３０には、このＩＤに関連付けられて例えば作業内容を示す紐付けデータ（例えばテキストデータ）が格納される。これにより、送信データの負荷を軽減することができ、また、データ記憶装置３０側でのデータ管理の自由度が増す。前述の作業者ＩＤについても同様に英数字と記号の組み合わせからなり、データ記憶装置３０に作業者ＩＤに関連付けられて作業者を示す紐付けデータ（例えばテキストデータ）が格納される。
【００４６】
ネットワークＩＤカード５０−１、作業者ＩＤカード５０−２、作業内容（設置時用）カード５０−３、作業内容（運用時用）カード５０−４は、樹脂や紙等からなるその外装部にそれぞれの種類に応じた対応色を有する。対応色は例えば印刷等で設けられる。具体的に、ネットワークＩＤカード５０−１及び作業者ＩＤカード５０−２は、その対応色として青色を有する。以下、ネットワークＩＤカード５０−１及び作業者ＩＤカード５０−２をまとめて「ＩＤカード５０−１，５０−２」とも呼ぶ。作業内容（設置時用）カード５０−３は、その対応色として黄色を有する。作業内容（運用時用）カード５０−４は、その対応色としてシアン（青緑色）を有する。このほか、データ記憶カード５０として、例えば携帯端末４０に所定の動作をさせるカードを更に用意してもよい。
【００４７】
プラントの管理者は、３Ｇ／ＬＴＥに接続可能なノートパソコン等の管理端末７０を用いることで、３Ｇ／ＬＴＥを介してプラント情報（データ００２）を閲覧及び編集できる。その結果、管理者はプラント機器を直接監視に行くことなく、プラント機器の状態を遠隔で監視することが可能になり、異常状態を発見したときに、携帯端末４０を携帯する作業者に修繕作業の指示等をすることが可能になる。
【００４８】
図２Ａに示される中継器６０は、制御部６１、ネットワーク接続部６２、タグ部６３、報知部６４及びバッテリ６５を有する。また、電源制御部６６を更に有してもよい。中継器６０は、検出装置１０と概ね同様の内部構造であるが、検出部を有さない点で検出装置１０と異なる。
【００４９】
図２Ｅを参照して、携帯端末４０のタグ制御部４２による、検出装置１０のタグ部１４への情報の格納及びデータ記憶カード５０からの情報の取得の動作の一例を説明する。図２Ｅにおいて、図中の細い矢印は命令等の信号を表し、図中の太い矢印は電力の供給を表す。また、携帯端末４０のタグ制御部４２による、中継器６０のタグ部６３への情報の格納の動作も同様であるので説明を省略する。
【００５０】
携帯端末４０が検出装置１０にかざされたとき、携帯端末４０のタグ制御部４２は、タグリーダ／ライタ４２−１が生成する例えば書き込み信号を、タグ制御アンテナ４２−２が生成する例えば電波又は磁界に含んで、検出装置１０に送信する。検出装置１０のタグ部１４は、タグアンテナ１４−２で受信する電波を整流することによって又は受信する磁界による電磁誘導によって、タグアンテナ１４−２に電力が発生する。タグアンテナ１４−２は、発生した電力をタグＩＣ１４−１に供給し、タグＩＣ１４−１が起動する。タグアンテナ１４−２が受信する電波又は磁界に含まれる信号が書き込み信号であったとき、起動したタグＩＣ１４−１は、書き込み信号に含まれる情報を格納する。
【００５１】
このように、携帯端末４０のタグ制御部４２が、タグ部１４へ情報を格納するときは、検出装置１０の内部からタグ部１４に電力が供給される必要がない。すなわち、検出装置１０が電源ＯＦＦ状態又はスリープ状態であるときも、携帯端末４０のタグ制御部４２は、検出装置１０のタグ部１４への情報の格納ができる。
【００５２】
また、タグアンテナ１４−２が受信した電波又は磁界によって起動したタグＩＣ１４−１は、例えば、電源制御部１７に対して起動信号を出力する。起動信号を入力した電源制御部１７は、電源制御部１７がバッテリ１６から供給される電力を、例えば少なくとも制御部１１に対して供給する。例えば、電力が供給された制御部１１が起動することによって、検出装置１０が電源ＯＮ状態となる。すなわち、検出装置１０は、携帯端末４０のタグ制御部４２によってタグ部１４に情報が記憶されたときに、電源ＯＮ状態となるように構成されている。検出装置１０の電源がＯＮ状態であるときは、制御部１１がタグ部１４のタグＩＣ１４−１に対して電力を供給することによって、制御部１１によるタグＩＣ１４−１への情報の格納やタグＩＣ１４−１からの情報の取得ができる。
【００５３】
さらに、電源ＯＮ状態である検出装置１０が電源ＯＦＦ状態又はスリープ状態となるときは、制御部１１は、電源制御部１７に対して停止信号又はスリープ信号を出力する。停止信号又はスリープ信号を入力した電源制御部１７は、例えば、少なくとも制御部１１に対して電力の供給を停止又は電力供給の量を低下させる。例えば、制御部１１への電力の供給が停止されたときに検出装置１０は電源ＯＦＦ状態となり、制御部１１への電力供給の量が低下されたときに検出装置はスリープ状態となる。
【００５４】
一方、携帯端末４０がデータ記憶カード５０にかざされたとき、携帯端末４０のタグ制御部４２は、タグリーダ／ライタ４２−１が生成する例えば読み込み信号を、タグ制御アンテナ４２−２が生成する例えば電波又は磁界に含んで、データ記憶カード５０に送信する。データ記憶カード５０は、アンテナ５２で受信する電波を整流することによって又は受信する磁界による電磁誘導によって、アンテナ５２に電力が発生する。アンテナ５２は、発生した電力をＩＣ５１に供給し、ＩＣ５１が起動する。アンテナ５２が受信する電波又は磁界に含まれる信号が読み込み信号であったとき、起動したＩＣ５１は、読み取り信号に応じてＩＣ５１に記憶されている情報を、アンテナ５２が生成する電波又は磁界に含んで返信する。携帯端末４０のタグ制御部４２は、返信された電波又は磁界をタグ制御アンテナ４−２で受信し、電波又は磁界に含まれる情報をタグリーダ／ライタ４２−１に送信する。これにより、タグリーダ／ライタ４２−１にデータ記憶カード５０の情報が格納される。
【００５５】
このように、携帯端末４０のタグ制御部４２が、データ記憶カード５０から情報を取得するときは、作業者はタッチパネル式のディスプレイモジュールを用いるような手動操作による煩雑な入力操作を行う必要がない。すなわち、携帯端末４０のタグ制御部４２は、入力ミスや入力内容の確認時間を生じることなく、作業に必要な情報を格納できる。
【００５６】
次に、図２Ｆ、図２Ｇ及び図２Ｈを参照して、携帯端末４０の状態遷移と発光部４４及びブザー４５の動作の例について説明する。
【００５７】
図２Ｆは携帯端末４０の状態遷移を示している。携帯端末４０は、電源オフの状態ＳＴ１０のときスライドスイッチ４０−２オンのイベントＥＶ１０が発生すると電源をオンにして非アクティブの状態ＳＴ２０に遷移する。このとき、携帯端末４０は、初期化の処理（初期処理）ＰＣ１０を行う。
【００５８】
初期化の処理ＰＣ１０において、発光部４４は、タグ制御部４２は初期化及び自身が正常に機能するか否かを判定する自己診断処理後に停止し、記憶部４３に格納されているタグ制御部４２が取得した読込情報は消去される。
【００５９】
非アクティブの状態ＳＴ２０は、主にスイッチ入力を監視する待機モードであり、他の機能を省いた省電力モードでもある。非アクティブの状態ＳＴ２０は、少なくともタグ制御部４２及び発光部４４を停止する。携帯端末４０は、非アクティブの状態ＳＴ２０のときプッシュスイッチ４０−３オンのイベントＥＶ２０が発生するとアクティブの状態（作動モード）ＳＴ３０に遷移する。このとき、携帯端末４０のタグ制御部４２が起動し、記憶部４３に記憶される読込情報を読み出す読込情報ロードの処理ＰＣ２０を行う。記憶部４３に記憶される読込情報がない場合は、読み出しは行わない。
【００６０】
また、携帯端末４０は非アクティブの状態ＳＴ２０のときスライドスイッチ４０−２オフのイベントＥＶ３０が発生すると電源オフの状態ＳＴ１０に遷移する。アクティブの状態ＳＴ３０は、携帯端末４０の全ての機能が実行可能なモードであり、タグ制御部４２と発光部４４が起動する。アクティブの状態ＳＴ３０における状態遷移については図２Ｇを参照して後で述べる。携帯端末４０はアクティブの状態ＳＴ３０のときプッシュスイッチ４０−３オフのイベントＥＶ４０が発生すると非アクティブの状態ＳＴ２０に遷移する。このとき、制御部４１は、タグ制御部４２が取得した読込情報を記憶部３３に格納する読込情報セーブの処理ＰＣ３０を行う。また、携帯端末４０はアクティブの状態ＳＴ３０のときスライドスイッチ４０−２オフのイベントＥＶ５０が発生すると電源オフの状態（停止モード）ＳＴ１０に遷移する。
【００６１】
図２Ｇは、携帯端末４０のアクティブの状態ＳＴ３０におけるタグ制御部４２の状態遷移を示している。図２Ｈは、タグ制御部４２の状態やイベント後処理に応じた発光部４４及びブザー４５の動作の例を示している。
【００６２】
携帯端末４０のタグ制御部４２は、記憶部３３から読み出した読込情報の有無及びその内容によって、後述する状態ＳＴ３１〜３５に遷移する。まず、携帯端末４０が初期化の処理ＰＣ１０を経て、すなわち記憶部３３に読込情報がない状態でアクティブの状態ＳＴ３０に遷移すると、タグ制御部４２はＩＤカード５０−１，５０−２の読込待機の状態（以下、ＩＤ読込待機の状態とも呼ぶ）ＳＴ３１に遷移する。
【００６３】
ＩＤ読込待機の状態ＳＴ３１は、格納している情報がなく、かつＩＤカード５０−１，５０−２のみが読み込み可能な状態である。ＩＤ読込待機の状態ＳＴ３１において制御部４１は発光部４４のうちＩＤ用発光部４４−１を青色で点滅発光（第１の状態）させる。他の作業内容用発光部４４−２，書込状態用発光部４４−３は消灯する。作業者は、ＩＤ用発光部４４−１による対応色（青色）の点滅によって、ＩＤカード５０−１，５０−２が読み込み可能であることが瞬時に理解できる。
【００６４】
ＩＤ読込待機の状態ＳＴ３１のときネットワークＩＤカード５０−１を読み込むイベント（以下、ネットワークＩＤ読込イベントとも呼ぶ）ＥＶ３１−１が発生すると、タグ制御部４２はネットワーク情報を取得して作業内容（設置時）カード５０−３の読み込み待機の状態（以下、作業内容（設置時）読込待機の状態とも呼ぶ）ＳＴ３２に遷移する。このとき、制御部４１は、ネットワークＩＤ読込イベントＥＶ３１−１に応じて読込成功通知の処理ＰＣ３１−１を行う。
【００６５】
読込成功通知の処理ＰＣ３１−１においては、制御部４１の制御のもとＩＤ用発光部４４−１及び作業内容用発光部４４−２が状態に依存した動作（この場合では、ＩＤ用発光部４４−１は青色点滅、作業内容用発光部４４−２は消灯）を行い、書込状態用発光部４４−３が一定時間緑色で点灯し、ブザー４５が「ピッ」の音声を出力する。作業者は、ブザー４５の音声と書込状態用発光部４４−３の点灯によりネットワークＩＤカード５０−１の読み込みが成功したことを瞬時に理解できる。
【００６６】
また、ＩＤ読込待機の状態ＳＴ３１のとき作業者ＩＤカード５０−２を読み込むイベント（以下、作業者ＩＤ読込イベントとも呼ぶ）ＥＶ３１−２が発生すると、タグ制御部４２は作業者ＩＤを取得して作業内容（運用時）カード５０−４の読み込み待機の状態（以下、作業内容（運用時）読込待機の状態とも呼ぶ）ＳＴ３３に遷移する。このとき、制御部４１は、作業者ＩＤ読込イベントＥＶ３１−２に応じて読込成功通知の処理ＰＣ３１−２を行う。読込成功通知の処理ＰＣ３１−２は、前述の読込成功通知の処理ＰＣ３１−１と同じである。
【００６７】
作業内容（設置時）読込待機の状態ＳＴ３２は、ネットワークＩＤカード５０−１の読み込みが完了し、かつ、作業内容（設置時）カード５０−３のみが読み込み可能な状態である。作業内容（設置時）読込待機の状態ＳＴ３２において、制御部４１は発光部４４のうちＩＤ用発光部４４−１を青色で点灯（第２の状態）させ、作業内容用発光部４４−２を黄色で点滅させる。書込状態用発光部４４−３は消灯する。作業者は、ＩＤ用発光部４４−１による対応色（青色）の点灯及び作業内容用発光部４４−２の対応色（黄色）による点滅によって、ネットワークＩＤカード５０−１の読み込みが完了し、今度は作業内容（設置時）カード５０−３が読み込み待ちであることが瞬時に理解できる。
【００６８】
作業内容（設置時）読込待機の状態ＳＴ３２のとき作業内容（設置時）カード５０−３を読み込むイベント（以下、作業内容（設置時）読込イベントとも呼ぶ）ＥＶ３２−１が発生すると、タグ制御部４２は検出部１２の種類を取得して検出装置１０へのネットワーク情報及び検出部１２の種類（以下、設置情報とも呼ぶ）の書き込み待機の状態（以下、設置情報書込待機の状態とも呼ぶ）ＳＴ３４に遷移する。このとき、制御部４１は、作業内容（設置時）読込イベントＥＶ３２−１に応じて読込成功通知の処理ＰＣ３２−１を行う。
【００６９】
読込成功通知の処理ＰＣ３２−１においては、制御部４１の制御のもとＩＤ用発光部４４−１及び作業内容用発光部４４−２が状態に依存した動作（この場合では、ＩＤ用発光部４４−１は青色点灯、作業内容用発光部４４−２は黄色点滅）を行い、書込状態用発光部４４−３が一定時間緑色で点灯し、ブザー４５が「ピッ」の音声を出力する。
【００７０】
また、作業内容（設置時）読込待機の状態ＳＴ３２のとき作業者ＩＤ読込イベントＥＶ３２−２が発生すると、タグ制御部４２は作業者ＩＤを取得して作業内容（運用時）読込待機の状態ＳＴ３３に遷移する。このとき、タグ制御部４２に格納されるネットワーク情報は消去される。すなわち、ネットワーク情報と作業者ＩＤとはいずれか一方のみがタグ制御部４２に格納できる。また、このとき、制御部４１は、作業者ＩＤ読込イベントＥＶ３２−２に応じて読込成功通知の処理ＰＣ３２−２を行う。
【００７１】
読込成功通知の処理ＰＣ３２−２は、前述の読込成功通知の処理ＰＣ３２−１と同じである。また、作業内容（設置時）読込待機の状態ＳＴ３２のときネットワークＩＤ読込イベントＥＶ３２−３が発生すると、タグ制御部４２はネットワーク情報を取得、更新して再び作業内容（設置時）読込待機の状態ＳＴ３２に遷移する。このとき、制御部４１は、ネットワークＩＤ読込イベントＥＶ３２−３に応じて、読込成功通知の処理ＰＣ３２−３を行う。読込成功通知の処理ＰＣ３２−３は、前述の読込成功通知の処理ＰＣ３２−１と同じである。
【００７２】
作業内容（運用時）読込待機の状態ＳＴ３３は、作業者ＩＤカード５０−２の読み込みが完了し、かつ作業内容（運用時）カード５０−４のみが読み込み可能な状態である。作業内容（運用時）読込待機の状態ＳＴ３３において、制御部４１は発光部４４のうちＩＤ用発光部４４−１を青色で点灯させ、作業内容用発光部４４−２をシアンで点滅させる。書込状態用発光部４４−３は消灯する。作業者は、ＩＤ用発光部４４−１による対応色（青色）の点灯及び作業内容用発光部４４−２の対応色（シアン）による点滅によって、作業者ＩＤカード５０−２の読み込みが完了し、今度は作業内容（運用時）カード５０−４の読み込み待ちであることが瞬時に理解できる。
【００７３】
作業内容（運用時）読込待機の状態ＳＴ３３のとき作業内容（運用時）カード５０−４を読み込むイベント（以下、作業内容（運用時）読込イベントとも呼ぶ）ＥＶ３３−１が発生すると、タグ制御部４２は作業内容あるいは動作内容を取得して検出装置１０への作業者ＩＤ及び作業内容等（以下、運用情報とも呼ぶ）の書き込み待機の状態（以下、運用情報書込待機の状態とも呼ぶ）ＳＴ３５に遷移する。このとき、制御部４１は、作業内容（運用時）読込イベントＥＶ３３−１に応じて読込成功通知の処理ＰＣ３３−１を行う。読込成功通知の処理ＰＣ３３−１においては、制御部４１の制御のもとＩＤ用発光部４４−１及び作業内容用発光部４４−２がタグ制御部４２の状態に依存した動作（この場合では、ＩＤ用発光部４４−１は青色点灯、作業内容用発光部４４−２はシアン点滅）を行い、書込状態用発光部４４−３が一定時間緑色で点灯し、ブザー４５が「ピッ」の音声を出力する。
【００７４】
また、作業内容（運用時）読込待機の状態ＳＴ３３のときネットワークＩＤ読込イベントＥＶ３３−２が発生すると、タグ制御部４２はネットワーク情報を取得して作業内容（設置時）読込待機の状態ＳＴ３２に遷移する。このとき、タグ制御部４２に格納される作業者ＩＤは消去される。また、このとき、制御部４１は、ネットワークＩＤ読込イベントＥＶ３３−２に応じて読込成功通知の処理ＰＣ３３−２を行う。読込成功通知の処理ＰＣ３３−２は、前述の読込成功通知の処理ＰＣ３３−１と同じである。
【００７５】
また、作業内容（運用時）読込待機の状態ＳＴ３３のとき作業者ＩＤ読込イベントＥＶ３３−３が発生すると、タグ制御部４２は作業者ＩＤを取得、更新して再び作業内容（運用時）読込待機の状態ＳＴ３３に遷移する。このとき、制御部４１は、作業者ＩＤ読込イベントＥＶ３３−３に応じて、読込成功通知の処理ＰＣ３３−３を行う。読込成功通知の処理ＰＣ３３−３は、前述の読込成功通知の処理ＰＣ３３−１と同じである。
【００７６】
設置情報書込待機の状態ＳＴ３４は、ネットワークＩＤカード５０−１及び作業内容（設置時）カード５０−３の読み込みが完了し、検出装置１０に設置情報を書込み可能な状態である。設置情報書込待機の状態ＳＴ３４において、制御部４１は発光部４４のうちＩＤ用発光部４４−１を青色で点灯させ、作業内容用発光部４４−２を黄色で点灯させ、書込状態用発光部４４−３を緑色で点滅させる。作業者は、ＩＤ用発光部４４−１及び作業内容用発光部４４−２による対応色（青色及び黄色）の点灯及び書込状態用発光部４４−３の緑色による点滅によって、ネットワークＩＤカード５０−１及び作業内容（設置時）カード５０−３の読み込みが完了し、今度は検出装置１０に設置情報が書き込み待ちであることが瞬時に理解できる。
【００７７】
設置情報書込待機の状態ＳＴ３４のとき検出装置１０へ設置情報を書き込むイベント（以下、設置情報書込イベントとも呼ぶ）ＥＶ３４−１が発生すると、タグ制御部４２は設置情報を保持しつつ再び設置情報書込待機の状態ＳＴ３４に遷移する。したがって、検出装置１０への設置情報の書込みは連続して行うことができる。このとき、制御部４１は設置情報書込イベントＥＶ３４−１に応じて、書込成功通知の処理ＰＣ３４−１を行う。書込成功通知の処理ＰＣ３４−１においては、制御部４１の制御のもとＩＤ用発光部４４−１及び作業内容用発光部４４−２がタグ制御部４２の状態に依存した動作（この場合では、ＩＤ用発光部４４−１は青色点灯、作業内容用発光部４４−２は黄色点灯）を行い、書込状態用発光部４４−３が一定時間緑色で点灯し、ブザー４５が「ピッピッ」の音声を出力する。
【００７８】
また、設置情報書込待機の状態ＳＴ３４のとき作業内容（設置時）読込イベントＥＶ３４−２が発生すると、タグ制御部４２は検出部１２の種類を取得、更新し再び設置情報書込待機の状態ＳＴ３４に遷移する。したがって、同じネットワーク情報を保持したまま検出部１２の種類を変更して、検出装置１０への設置情報の書込みを行うことができる。このとき、制御部４１は、作業内容（設置時）読込イベントＥＶ３４−２に応じて、読込成功通知の処理ＰＣ３４−２を行う。読込成功通知の処理ＰＣ３４−２においては、制御部４１の制御のもとＩＤ用発光部４４−１及び作業内容用発光部４４−２が状態に依存した動作（この場合では、ＩＤ用発光部４４−１は青色点灯、作業内容用発光部４４−２は黄色点灯）を行い、書込状態用発光部４４−３が一定時間緑色で点灯し、ブザー４５が「ピッ」の音声を出力する。
【００７９】
運用情報書込待機の状態ＳＴ３５は、作業者ＩＤカード５０−２及び作業内容（運用時）カード５０−３の読み込みが完了し、検出装置１０に運用情報を書込み可能な状態である。運用情報書込待機の状態ＳＴ３５において、制御部４１は発光部４４のうちＩＤ用発光部４４−１を青色で点灯させ、作業内容用発光部４４−２をシアンで点灯させ、書込状態用発光部４４−３を緑色で点滅させる。作業者は、ＩＤ用発光部４４−１及び作業内容用発光部４４−２による対応色（青色及びシアン）の点灯及び書込状態用発光部４４−３の緑色による点滅によって、作業者ＩＤカード５０−２及び作業内容（運用時）カード５０−４の読み込みが完了し、今度は検出装置１０に運用情報が書き込み待ちであることが瞬時に理解できる。
【００８０】
運用情報書込待機の状態ＳＴ３５のとき検出装置１０へ運用情報を書き込むイベント（以下、運用情報書込イベントとも呼ぶ）ＥＶ３５−１が発生すると、タグ制御部４２は運用情報を保持しつつ再び運用情報書込待機の状態ＳＴ３５に遷移する。したがって、検出装置１０への運用情報の書込みは連続して行うことができる。このとき、制御部４１は運用情報書込イベントＥＶ３５−１に応じて、書込成功通知の処理ＰＣ３５−１を行う。
【００８１】
書込成功通知の処理ＰＣ３５−１においては、制御部４１の制御のもとＩＤ用発光部４４−１及び作業内容用発光部４４−２がタグ制御部４２の状態に依存した動作（この場合では、ＩＤ用発光部４４−１は青色点灯、作業内容用発光部４４−２はシアン点灯）を行い、書込状態用発光部４４−３が一定時間緑色で点灯し、ブザー４５が「ピッピッ」の音声を出力する。また、運用情報書込待機の状態ＳＴ３５のとき作業内容（運用時）読込イベントＥＶ３５−２が発生すると、タグ制御部４２は作業内容等を取得、更新し再び運用情報書込待機の状態ＳＴ３５に遷移する。したがって、同じ作業者ＩＤを保持したまま作業内容等を変更して、検出装置１０への運用情報の書込みを行うことができる。このとき、制御部４１は、作業内容（運用時）読込イベントＥＶ３５−２に応じて、読込成功通知の処理ＰＣ３５−２を行う。
【００８２】
読込成功通知の処理ＰＣ３５−２においては、制御部４１の制御のもとＩＤ用発光部４４−１及び作業内容用発光部４４−２がタグ制御部４２の状態に依存した動作（この場合では、ＩＤ用発光部４４−１は青色点灯、作業内容用発光部４４−２はシアン点灯）を行い、書込状態用発光部４４−３が一定時間緑色で点灯し、ブザー４５が「ピッ」の音声を出力する。
【００８３】
また、上述した条件以外でデータ記憶カード５０を読み込むイベントや検出装置１０に書き込むイベントが発生したり、読込あるいは書込が失敗したりした場合は、制御部４１は、エラー通知の処理を行う。このエラー通知の処理においては、制御部４１の制御のもとＩＤ用発光部４４−１及び作業内容用発光部４４−２がタグ制御部４２の状態に依存した動作を行い、書込状態用発光部４４−３が一定時間赤色で点灯し、ブザー４５が「ピーー」の音声を出力する。作業者は、書込状態用発光部４４−３の対応色（青色、黄色、シアン）並びに読込及び書込成功の報知色（緑色）以外の警告色（赤色）での点灯及びブザー４５の警告音により、エラーであることを瞬時に理解できる。
【００８４】
また、図２Ｆの初期化の処理ＰＣ１０において自己診断の結果エラー（正常な状態でない）となった場合、制御部１１はこの結果に応じて自己診断エラーの処理を実行する。自己診断エラーの処理においては、制御部４１の制御のもとＩＤ用発光部４４−１及び作業内容用発光部４４−２は消灯し、書込状態用発光部４４−３が赤色で点滅し、ブザー４５が「ピーピーピー」の音声を出力する。ブザー４５の警告音により、自己診断エラーであることを瞬時に理解できる。
【００８５】
また、携帯端末４０が初期化の処理ＰＣ１０を経ないで、すなわち記憶部３３に読込情報がある状態でアクティブの状態ＳＴ３０となった場合は、タグ制御部４２は記憶部３３から読み出した読込情報の種類によって、各状態ＳＴ３３〜ＳＴ３５のいずれかに遷移する。具体的に、例えば、読込情報がネットワーク情報のみであった場合は、作業内容（設置時）読込待機の状態ＳＴ３２に遷移する。また、例えば、読込情報が作業者ＩＤのみであった場合は、作業内容（運用時）読込待機の状態ＳＴ３３に遷移する。また、例えば、読込情報がネットワーク情報及び検出部１２の種類であった場合は、設置情報書込待機の状態ＳＴ３４に遷移する。また、例えば、読込情報が作業者ＩＤ及び作業内容等であった場合は、運用情報書込待機の状態ＳＴ３５に遷移する。
【００８６】
また、携帯端末４０は、図２Ｆの状態遷移に示すスライドスイッチ４０−２による電源オフ操作の他に、稼働／停止に関する制御処理を行うことができ、図３Ａ，図３Ｂに示す制御部４１の処理フローを用いて説明する。
【００８７】
制御部４１は、電源オフの状態ＳＴ１０のときスライドスイッチ４０−２オンのイベントＥＶ１０が発生すると電源をオンにして非アクティブの状態（待機モード）ＳＴ２０に遷移する。このとき、上述した初期化の処理ＰＣ１０を行う。
【００８８】
この際、初期化の処理（初期処理）ＰＣ１０の自己診断処理として、制御部４１は、電源制御部４７からバッテリ４６の電池残量（残容量）に関する情報を取得し（ステップＳ１）、取得した情報に基づいてバッテリ４６の電池残量が、所定値以上であるか否かを判定する（ステップＳ２）。
【００８９】
ステップＳ２の判定処理によって、電池残量が所定値未満であると判定した場合、制御部４１は、システムをエラーモードに移行し、作業者に電池残量が少ないことを知らせるためのブザー４５より、警告音を発生し、電源オフ状態（停止モード）ＳＴ１０に移行する（ステップＳ３）。
【００９０】
また、ステップＳ２の判定処理によって、電池残量が所定値以上であると判定した場合、制御部４１は、記憶部４３から通常動作中に保存した情報を読み出し（ステップＳ４）、省電力モード（非アクティブ状態ＳＴ２０）に移行する（ステップＳ５）。
【００９１】
図３Ｂは、起動後、省電力モードに移行した後のタイムアウトに関する処理を示す。制御部４１は、プッシュスイッチ４０−３の入力操作を監視するため、プッシュスイッチ４０−３がオフ状態からオン状態へ変化したか否かを判定する（ステップＳ５１）。
【００９２】
この判定により、プッシュスイッチ４０−３のオン操作があった場合に、通信許可とみなし、制御部４１は、タグ制御部４２や記憶部４３を作動させながら、上述したように、一次的にアクティブ状態ＳＴ３０に移行して通信処理を行う（ステップＳ５２）。
【００９３】
次に、制御部４１は、押圧されたプッシュスイッチ４０−３が、一定時間（例えば、５分間）押し続けられていないかどうか連続押圧判定処理を行う（ステップＳ５３）。さらに制御部４１は、プッシュスイッチ４０−３が一定の時間（例えば、1時間）内に操作がなされたか否か無操作判定処理を行う（ステップＳ５４）。
【００９４】
制御部４１は、連続押圧判定、または無操作判定によって、プッシュスイッチ４０−３が一定時間押し続けられた場合、または一定の時間操作が無い場合に、ブザー４５を鳴動させて（ステップＳ５５）作業者へ警報した後、電源制御部４７を用いて電源オフ状態（停止モード）に移行する（ステップＳ５６）。これにより、例えば、スライドスイッチ４０−２のオフ操作忘れや、プッシュスイッチ４０−３の固着など、作業者が意図せずに作動モード、または省電力モードである場合に、停止モードへ自動的に移行し、携帯端末４０の余計な電力が消費してしまうことを抑止できる。また、スライドスイッチ４０−２がオフ状態のまま電源が停止されてしまうため、これを作業者に警報出力によって、知らせることができる。この警報出力を行う際、制御部４１は、ステップＳ１及びステップＳ２と同様の処理を再度行い、バッテリ４６の残容量不足を知らせることもできる。また警報出力は、ブザー４５による鳴動だけでなく、発光部４４の点灯や点滅などによって出力することもできる。また、鳴動の周波数や周期、発光の点滅パターンや色、点灯順などを異ならせて、複数の警報内容を識別可能にすることもできる。
【００９５】
また、制御部４１は、当然ながらスライドスイッチ４０−２の入力を監視し（ステップＳ５７）、オフ操作に応じて電源オフする（ステップＳ５６）こともできる。なお、スライドスイッチ４０−２がオン状態で、電源オフされた場合にあっては、スライドスイッチ４０−２を、オフ、オンのスライド操作を行うことで、再び携帯端末４０を起動することができる。
【００９６】
これらステップＳ５１からＳ５７の処理を繰り返すことによって、携帯端末４０は、無駄な消費電力を低減できるタイムアウト機能を備えることになる。
【００９７】
斯かる携帯端末４０によれば、バッテリ４６から供給される電力を用いて、タグ制御部４２を作動させて無線通信を行う携帯端末４０であって、バッテリ４６からの電力供給のオン／オフを切り替えるためのスライドスイッチ４０−２と、タグ制御部４２による通信の許可／禁止を切り替えるためのプッシュスイッチ４０−３と、スライドスイッチ４０−２がオンの状態でかつプッシュスイッチ４０−３が許可の状態へ移行したことに基づいて、前記電力を用いてタグ制御部４２を作動させる作動モード（アクティブ状態ＳＴ３０）と、スライドスイッチ４０−２またはプッシュスイッチ４０−３からの信号入力を監視する省電力モード（非アクティブ状態ＳＴ２０）と、バッテリ４６からの電力供給を断つ停止モード（電源オフ状態ＳＴ１０）とを切り替える制御部４１と、を備え、制御部４１は、スライドスイッチ４０−２の投入後の初期処理として、バッテリ４６の残量が所定値未満であるか否かを判定する残容量判定処理（ステップＳ２）を行い、前記所定値未満である場合に、前記停止モードへ移行する。
【００９８】
従って、携帯端末４０は、起動時において、作業に十分な残容量を確認できるため、作業の途中で充電作業や電池交換作業などの電源準備を強いられることを抑止できるため、利便性の高い携帯型管理装置となる。
【００９９】
また、携帯端末４０は、タイムアウト機能を備えることによって、無駄な電力消費を抑えることができ、充電や電池交換の頻度を少なくできるため、利便性の高い携帯型管理装置となる。特に、防水または防爆構造を施した筐体４０−１内に設けられるバッテリ４６では、筐体４０−１を分解する必要があるなど電池交換作業が煩雑であるが、この場合であっても、上記作用による利便性の高い携帯型管理装置となる。
【０１００】
なお、本発明の携帯型管理装置を上述した実施の形態の構成にて例に挙げて説明したが、本発明はこれに限定されるものではなく、他の構成においても、本発明の要旨を逸脱しない範囲において種々の改良、並びに表示の変更が可能なことは勿論である。
【産業上の利用可能性】
【０１０１】
本発明は、携帯型管理装置に関し、例えば、多数の機器や、離れた位置にある機器などの管理が必要な環境に対して、作業者が携帯する管理端末として好適である。
【符号の説明】
【０１０２】
４０  携帯端末（携帯型管理装置）
４０−１  筐体
４０−２  スライドスイッチ（電源スイッチ）
４０−３  プッシュスイッチ（操作スイッチ）
４１  制御部
４２  タグ制御部（通信回路）
４３  記憶部
４４  発光部（出力部）
４５  ブザー（鳴動手段、出力部）
４６  バッテリ（電池）
４７  電源制御部
【図１】
2018117441.tif 000003
【図２Ａ】
2018117441.tif 000004
【図２Ｂ】
2018117441.tif 000005
【図２Ｃ】
2018117441.tif 000006
【図２Ｄ】
2018117441.tif 000007
【図２Ｅ】
2018117441.tif 000008
【図２Ｆ】
2018117441.tif 000009
【図２Ｇ】
2018117441.tif 000010
【図２Ｈ】
2018117441.tif 000011
【図３Ａ】
2018117441.tif 000012
【図３Ｂ】
2018117441.tif 000013